(57)【要約】  本発明はテーマ生成器、テーマ生成器を含む携帯電子機器及び、テーマ生成方法に関する。テーマ生成器(15)は、テーマ生成器(16)を選択及び／又は起動する入力ユニット(15)と、テーマ生成器(17)を制御するとともに、テーマ生成器(15)が選択及び／又は起動されている際に画像データを受信するように構成された制御ユニット(15)を有し、デスクトップ及び／又は待ち受け画像の外観が、カメラからの画像データ及び／又はユーザ入力に応じて変化する。本発明は、多数のプリセットテーマを用意することも、外部テーマエディタを必要とすることもなしに、ユーザが自分のテーマを非常に簡単に生成することを可能にする。
2009512041.tif 000002
【特許請求の範囲】
【請求項１】
選択可能なグラフィカルユーザインタフェース（ＧＵＩ）をユーザが制御可能なテーマの形式により提供するように構成された携帯電子機器用のテーマ生成器(15)であって、
前記テーマ生成器(15)を選択及び／又は起動する入力ユニット(16)と、前記テーマ生成器(15)を制御するとともに、前記テーマ生成器(15)が選択及び／又は起動されている際に画像データを受信するように構成された制御ユニット(17)を有し、前記グラフィカルユーザインタフェース（ＧＵＩ）の外観が、カメラもしくは取り込み済みの画像から与えられる前記画像データに応じて変化するとともに、ファインダーのような前記カメラの画像提示装置が、前記グラフィカルユーザインタフェース（ＧＵＩ）の前記外観をリアルタイムで提示するように構成されることを特徴とするテーマ生成器(15)。
【請求項２】
前記グラフィカルユーザインタフェース（ＧＵＩ）が、自動的に更新されるように構成されるとともに、画像データが変化すると前記グラフィカルユーザインタフェース（ＧＵＩ）の前記外観が変化することを特徴とする請求項１記載のテーマ生成器(15)。
【請求項３】
前記制御ユニット(17)が、ユーザ入力操作に応じて、効果、フィルタカラースキーム等を制御するように構成されることを特徴とする請求項１又は請求項２記載のテーマ生成器。
【請求項４】
前記制御ユニット(17)が、動き検出又はタイマー操作を備えるカメラから画像データを受信した後、前記グラフィカルユーザインタフェース（ＧＵＩ）をフリーズさせるように構成されることを特徴とする請求項２又は請求項３記載のテーマ生成器。
【請求項５】
前記制御ユニット(17)が、シャッターボタン操作を備えるカメラから画像データを受信した後、前記グラフィカルユーザインタフェース（ＧＵＩ）をフリーズさせるように構成されることを特徴とする請求項２又は請求項３記載のテーマ生成器。
【請求項６】
携帯電子機器であって、
選択可能なグラフィカルユーザインタフェース（ＧＵＩ）をユーザが制御可能なテーマの形式により提供するように構成されたテーマ生成器(15)を備え、前記テーマ生成器(15)が、
前記テーマ生成器(15)を選択及び／又は起動する入力ユニット(16)と、前記テーマ生成器(15)を制御するとともに、前記テーマ生成器(15)が選択及び／又は起動されている際に画像データを受信するように構成された制御ユニット(17)を有し、前記グラフィカルユーザインタフェース（ＧＵＩ）の外観が、カメラもしくは取り込み済みの画像から与えられる前記画像データに応じて変化するとともに、ファインダーのような前記カメラの画像提示装置が、前記グラフィカルユーザインタフェース（ＧＵＩ）の前記外観をリアルタイムで提示するように構成されることを特徴とする携帯電子機器。
【請求項７】
携帯電話機であることを特徴とする請求項５記載の携帯電子機器。
【請求項８】
携帯電子機器用のテーマを生成する方法であって、
グラフィカルユーザインタフェース（ＧＵＩ）をユーザが制御可能なテーマの形式により提供する様に構成されたテーマ生成器を提供するステップと、
入力ユニットによって前記テーマ生成器(15)を選択及び／又は起動するステップと、
前記テーマ生成器が選択及び／又は起動されている際に、カメラにより送信される画像データ又は取り込み済み画像を受信するように構成されるよう前記テーマ生成器を制御するステップであり、前記グラフィカルユーザインタフェース（ＧＵＩ）の外観が、前記カメラからの画像データ又は取り込み済み画像に応じて変化し、
前記グラフィカルユーザインタフェースを、前記カメラの画像提示装置によってリアルタイムに提示するステップとを有することを特徴とする方法。
【発明の詳細な説明】
【技術分野】
【０００１】
本発明は携帯電子機器のための表示外観（テーマ）の分野並びに、携帯電子機器に関するテーマ生成器の提供に関する。
【背景技術】
【０００２】
携帯電話機、ＭＰ３プレーヤ、ＰＤＡといった携帯電子機器の見ため(appearance)を目立たせることは、ユーザの多くにとって重要になってきている。一般に「テーマ」と呼ばれる、表示外観のような外観を、標準の外観の代わりに自分の趣味や好みに合わせて変更することを希望するユーザは多い。
【０００３】
以下、背景技術は主に携帯電子機器が携帯電話機である場合に関して説明する。しかし、これは従来技術の具体的な例示によって本発明の目的をわかりやすい方法でより良く説明することのみを意図したものであり、本発明をそのような特定の機器に限定する意図はない。
【０００４】
今日、一般的な製造者は、携帯電話機のモデルに対して、それぞれが固有の外観を有するテーマを数多く提供する必要があるだろう。このような要求を管理する課題から、現在及び将来のマーケット要求に合致した、他とは異なる様々な外観を容易に実現する、携帯電話機に異なる複数のテーマを提供するための新しい方法に対する必要性が生じてきている。これは、膨大な数のプリセットテーマを有する携帯電話機を納入することによって実現可能ではあろうが、例えば開発コストの増大や電話機に十分なメモリを持たせる必要性があるといった問題の原因となりうる。
【０００５】
そのため、ユーザが選択可能なプリセットテーマの他に、ユーザがウェブやコンピュータアプリケーションを通じて利用可能な、携帯電話機用の所謂「テーマエディタ」が存在する。ユーザは携帯電話機の表示外観を変更するために提供されている（例えば写真を含む）テーマを、テーマエディタにより編集することができる。
【０００６】
ウェブベースのエディタ又は所謂「ツール」の一例は、ソニーエリクソン社から提供されているスマートテーマエディタ（登録商標）である。このエディタにおいて、ユーザは基本的に、使用するウェブアプリケーションに写真を所謂「待ち受け」画像としてアップロードする。そして、ユーザはボタンをクリックしてテーマを生成することができ、それにより、アップロードされた写真で特定される色に基づいて好適な色及び背景画像が生成される。この方法はユーザフレンドリであるけれども、携帯電話機への転送実現性に関して改良の余地があるかもしれない。
【０００７】
ＰＣベースのエディタ又はツールの一例には、（多くの類似したエディタを例えばシェアウェアとしてウェブ上で見つけることが可能であるが）やはりソニーエリクソン社から提供されているものがある。ツールはユーザに、特定の画像又は指定された色を有することが可能なＧＵＩ（グラフィカルユーザインタフェース）の、様々な部品の全ての全面的な制御を提供する。一般に、携帯電話機用のＧＵＩは、テーマに特有な外観を提供する多くの異なるユーザインタフェース部品を含んでいる。ＧＵＩの典型的な適用領域の例は、携帯電話機のＭＰ３プレーヤ及びウィンドウズメディアプレーヤである。ＰＣベースのツールは多くの利点を有するが、ウェブベースのツールに関して説明されたものと同様の改良を実装する必要があるだろう。
【０００８】
とはいえ、上述した方法（又は他の従来技術）のいずれも、携帯電子機器のみを用いてユーザが簡単にテーマを生成することについての実現性を提供していない。どの方法もある種の外部エディタ又はツールを必要とするが、それらは常に存在するとも、簡単に使えるとも限らない。
【０００９】
そのため、携帯電子機器のみを用いて、ユーザがテーマを（一般には簡単に）生成できるようにすることに対する要求が存在するであろう。
【発明の開示】
【００１０】
本発明は、携帯機器それ自体によってテーマを生成することの問題を解決するためになされたものである。
【００１１】
従って、本発明の一目的は、携帯機器自体によって提供されるテーマエディタであり、外部エディタを用いることなくテーマを生成することを可能にするテーマエディタを提供することである。
【００１２】
本発明の第１の見地によれば、選択可能なグラフィカルユーザインタフェース（ＧＵＩ）をユーザが制御可能なテーマの形式により提供するように構成された携帯電子機器用のテーマ生成器であって、
前記テーマ生成器を選択及び／又は起動する入力ユニットと、前記テーマ生成器を制御する様に構成されるとともに、前記テーマ生成器が選択及び／又は起動されている際に画像データを受信するように構成される制御ユニットとを有し、前記グラフィカルユーザインタフェース（ＧＵＩ）の外観が、カメラから与えられる画像データ又は取り込み済みの画像に応じて変化し、ファインダーのような前記カメラの画像提示装置が、前記グラフィカルユーザインタフェース（ＧＵＩ）の外観をリアルタイムで提示する様に構成されることを特徴とするテーマ生成器によって上述の目的は達成される。
【００１３】
このようにして、グラフィカルユーザインタフェースのいかなる部分も、カメラファインダー情報又は取り込み済み画像の利用によって影響を受けうる。携帯電話機用のＧＵＩはそういった部品を何百も含みうる。これらは、外部エディタを必要とすることなしに、典型的にはビットマップの利用又はカラー化によって調整されうる。
【００１４】
本発明の第２の見地は、第１の見地の機能を含み、前記グラフィカルユーザインタフェース（ＧＵＩ）が、画像データが変化すると自動的に更新され、その外観が変化するように構成されることを特徴とするテーマ生成器を対象とする。
【００１５】
このように、更新及びプレビューがすぐに、リアルタイムでなされる。そのため、ユーザは画像を取り込む前に最終結果を見ることができ、その結果に従ってテーマを生成することができる。
【００１６】
本発明の第３の見地は、第１及び第２の見地の機能を含み、前記制御ユニットが効果、フィルタカラースキーム等を、ユーザ入力操作に応じて制御するように構成されるテーマ生成器を対象とする。
【００１７】
本発明の第４の見地は、上述の見地のいずれか１つの機能を含み、前記制御ユニットが、動き検出又はタイマー操作を備えるカメラから画像データを受信した後、前記グラフィカルユーザインタフェース（ＧＵＩ）をフリーズさせるように構成されるテーマ生成器を対象とする。
【００１８】
本発明の第５の見地は、上述の見地のいずれか１つの機能を含み、前記制御ユニットが、シャッターボタン操作を備えるカメラから画像データを受信した後、前記グラフィカルユーザインタフェース（ＧＵＩ）をフリーズさせるように構成されるテーマ生成器を対象とする。
【００１９】
本発明の第６の見地は、選択可能なグラフィカルユーザインタフェース（ＧＵＩ）をユーザが制御可能なテーマの形式で提供するように構成されたテーマ生成器、を備える携帯電子機器であって、
前記テーマ生成器が、前記テーマ生成器を選択及び／又は起動する入力ユニットと、前記テーマ生成器を制御する様に構成されるとともに、前記テーマ生成器が選択及び／又は起動されている際に画像データを受信するように構成される制御ユニットとを有し、前記グラフィカルユーザインタフェース（ＧＵＩ）の外観が、カメラから与えられる画像データ又は取り込み済みの画像に応じて変化し、ファインダのような前記カメラの画像提示装置が、前記グラフィカルユーザインタフェース（ＧＵＩ）の外観をリアルタイムで提示する様に構成される携帯電子機器を対象とする。
【００２０】
本発明の第８の見地は、前記第７の見地の機能を含み、携帯電話機である携帯電子機器を対象とする。
【００２１】
本発明の別の目的は、携帯電子機器用のテーマを生成する方法を提供することにある。
【００２２】
本発明の第９の見地によれば、この目的は、携帯電子機器用のテーマを生成する方法であって、
ユーザが制御可能なテーマの形式でグラフィカルユーザインタフェース（ＧＵＩ）を提供する様に構成されたテーマ生成器を提供するステップと、
入力ユニットにより、前記テーマ生成器を選択及び／又は起動するステップと、
前記テーマ生成器が選択及び／又は起動されている際に、カメラにより転送される画像データ又は取り込み済み画像を受信するように構成されるよう前記テーマ生成器を制御するステップとを有し、前記グラフィカルユーザインタフェース（ＧＵＩ）デスクトップの外観が、前記画像データに応じて変化することを特徴とする方法によって達成される。
【００２３】
本発明は以下のような利点を有する。本発明により、テーマのルックアンドフィールをすぐに生成することが可能になる。さらに、取り込みされ保存された画像を使用して、それらをＧＵＩに影響させることが可能であり、外部エディタを用いることなく、電子機器における様々な項目のカラーリングなどに影響させることができる。
【００２４】
さらに、これまでいかなる電話機も、電話機に設けられているカメラで撮影した写真に基づいてテーマを生成するという選択肢をユーザに提供しておらず、選択可能なテーマの数を強く制限する結果となっていた。
【００２５】
これが本発明によって可能になり、この実施形態によれば、ユーザが自分の電話機をすぐにパーソナライズすることを可能にする。
【００２６】
なお、本明細書において「含む／有する」という語が用いられる場合、説明された機能、整数、ステップ又は構成部品の存在を特定するものとして解釈されるが、他の機能、整数、ステップ、構成部品又はそのグループの１つ又はそれより多くの存在や付加を排除するものではないことを強調しておく。
【発明を実施するための最良の形態】
【００２７】
以下、添付図面に関して本発明をより詳細に説明する。
本発明に係る携帯電子機器を、その好適な態様である携帯電話機に関して説明する。携帯電子機器は、コードレス電話機、通信モジュール、ＰＤＡ、デジタルカメラ、又は他の任意のタイプの携帯電子機器のような、電波を用いて、あるいは用いずに通信する他の何らかのタイプの携帯電子機器であってよい。
【００２８】
以下では、本発明の３つの異なる応用シナリオである、シナリオ１、シナリオ２、及びシナリオ３を説明する。シナリオ１は図１ａ−ｅに示され、シナリオ２は図示されず、シナリオ３は図５に示される。
【００２９】
まず、図１ａ−ｅ、図２及び図３ａ−ｃを参照する。
【００３０】
図３ａ−ｃ及び図２は、本発明の第１の実施形態を、ディスプレイ１２、キーパッド１３及びカメラ１４並びに、入力ユニットと通信するテーマ生成器１５を有する電話機１０の形式で示している。入力ユニットは、テーマ生成器１５を選択するためのキー１６として図示されており、本発明の説明にはキー１６を用いる。常として、キーパッド１３は図示されるよりも多くのキーを含み、特別な１つのキー１６の代わりに、キーパッド１３の一部又は全部をテーマエディタを選択するために用いても良い。さらに、入力ユニット（キー１６）は、以下に説明するような機能と同様の機能が満たされれば、所謂ソフトキーであってもよいし、他の好適な方法により実現されても良い。例えば、本発明の教示を、キー１６の代わりに、ナビゲーションユニット上のジョイスティックのような他の形式のユーザ入力ユニットや、（液晶ディスプレイであろう）ディスプレイ上の他の形式のボタンにも適用可能である。
【００３１】
図２は、本発明に係るテーマ生成器１５を含む携帯電話機１０の第１の実施形態の構成の正面図を模式的に示す。テーマ生成器１５は、図２においてはカメラ１４と、前記テーマ生成器１５を制御するとともにカメラから送信される画像データを受信するように構成される制御ユニット１７とを接続する点線で示されるように、カメラ１４から送信される（又は例えば他の電子機器から受信された）画像データを受信するように構成される。テーマ生成器１５は、制御ユニット１７が画像データを受信するために、何らかの方法で選択及び／又は起動されている（テーマ生成モードに入っている）必要がある。カメラ１４は画像を送信しなくてもよく、カメラ１４によって過去に生成され、保存された画像を代わりに選択することができる（シナリオ３）。この変形例については後でさらに説明する。例えば、テーマ生成器１５は上の段落で説明したように、ユーザ入力ユニット１６を用いたユーザの操作に応じて選択及び／又は起動される。実際には必要となるが、その機能は本技術分野の当業者には明らかであり、また本発明と直接関連しないので、簡単さのためにフラッシュメモリ等は図示していない。
【００３２】
本発明のより良い理解のために、カメラでその場で撮影された写真によってテーマが生成される特定のシナリオについて、主に図３ａ−ｃを参照して、また本発明の実施形態に係る方法を図示する図４もまた参照して段階的に説明する。本発明の幅広い適用性ならびに関連する利点を説明するため、複数の実施形態について説明する。まず、本発明の基本的な構成、特にユーザがどのようにそれを体験するかについて、「シナリオ１」と呼ぶ第１の実施形態から説明する。
【００３３】
シナリオ１、カメラでその場で撮影された写真のテーマ
基本的に、シナリオ１はテーマの生成にカメラファインダー情報が用いられる状況を説明する。主要機能の１つは、写真の取り込み前に最終結果のプレビューをリアルタイムで得ることである。より詳細には、このシナリオは以下のようであってよい。
【００３４】
１．ユーザはカメラを起動し、テーマ生成モードに入る（ステップ１０１、図１ａ）。これは典型的にはキー１６を押下することで実行される。すなわち、やはり上述したように、ユーザ入力ユニット１６を用いて起動又はテーマ生成モードに入る。これは図１ａに模式的に示すように、制御ユニット１７によって（本質的に周知の方法で）制御されるポップアップメニューから「テーマ生成器」と呼ばれる項目が選択されることにより実現されうる。
【００３５】
２．ユーザはカメラを動かし、カメラのファインダー（図示せず）における色変化に応じて、例えばメニューの色及びデスクトップの背景画像を含むＧＵＩが、自動的に更新される（ステップ１０２、図３ｂ）。これは、図３ｂにおいて、点線で区切られた３つの領域として図示され、デスクトップ、待ち受け及びリストのプレビューを含むプレビューモードを表している。これもまた制御ユニット１７によって制御される。通常は、図１ｂに示されるデスクトップ及び待ち受け画像よりもずっと多くの項目が影響を受ける。この図には示されていないが、ある特定の例は、影響を受けうる項目を数百含みうる。
【００３６】
オプションとして、ユーザは効果、フィルタカラースキーム等を設定することができる。典型的には、このオプションは、メニューテーブルで選択可能な「詳細(more)」項目として（本質的に周知の方法で）実施することができる。
【００３７】
３．ユーザはシャッターボタン（図示せず）を押下して撮影を行い、それによって画像がフリーズする（ステップ１０３、図３ｃ（フリーズしたファインダー））
【００３８】
４．ステップ１０４で、ユーザは変更された背景デスクトップエフェクトを有するテーマを設定する（本例では、ユーザは変更された背景エフェクトも有する）。これは、例えば項目リストから「テーマとして設定」項目を（本質的に周知な方法で）選択することにより行うことができる。これもまた制御ユニット１７によって制御される。
【００３９】
図３ａ−ｃは、本発明が提供しうる他の機能を示している。例えばスライドショーにおいて、テーマが電話機のテーマとして設定されたかのようになるので、ユーザは生成されたテーマのより良いプレビューを見ることが可能であろう。従って、本発明はいかなる手段によっても、図示される「時間／日付モード」に限定されない。なぜなら、これは単に、本発明によって影響されうる（ＧＵＩの）ユーザインターフェースオブジェクトの形式の例を意図したものだからである。
【００４０】
シナリオ２、ファインダーを用いた色生成
ファインダー情報は、待ち受け画像のように、必ずしもテーマに含まれなくてもよい。ファインダーが、ＧＵＩの外観用のカラーテーマを探すためだけに用いられ、写真自体はテーマの一部として用いられないモードに入ってもよい。この実施形態は、ユーザが例えば緑がかった、又はピンクっぽいテーマを生成することを非常に容易にするであろう。典型的には、このモードにおいてユーザは、衣類や机など、自分が探す色に合った様々な表面をも利用するであろう。
【００４１】
シナリオ３、保存済みの画像を利用したテーマ生成
１．図５に示すように、ユーザは（複数の画像が保存されている）データフォルダをブラウズし、テーマの生成を決定する。
２．ユーザは、上述のようにしてテーマを生成する。
３．ユーザは、上述のようにしてテーマを設定する。
【００４２】
本発明は様々な長所を有する。我々の知見によれば、テーマを生成するための携帯電話機アプリケーションは存在しないので、本発明がここで提供することと対照的に、今日、従前の電話機により、携帯電話機のみをツールとして用いてテーマを生成することは不可能である。
【００４３】
さらに、これまでいかなる電話機も、電話機に設けられているカメラで撮影した写真に基づいてテーマを生成するという選択肢をユーザに提供しておらず、選択可能なテーマの数を強く制限する結果となっていた。これが本発明によって可能になり、この実施形態によれば、ユーザが自分の電話機をすぐにパーソナライズすることを可能にする。
【００４４】
さらに、ウェブ又はＰＣベースのツールを通じて利用可能な現在の手法は、見映えの良いテーマを簡単な方法で生成することをユーザに提供しておらず、つまり、ユーザフレンドリであるとは限らない。それらのツールは上級者向けであったり、オブジェクトの色などの１つ１つをユーザが規定しなければならないので、使いづらい可能性がある。そのため、見映えの良いテーマを生成することが難しかったり、時間が掛かったりする可能性がある。
【００４５】
既知のいかなるツールも、ユーザに、写真を撮影し、それをＰＣへ転送し、ツールを用いて編集し、（ブルートゥース、ＰＣソフトウェア、ｗａｐ等を通じて）電話機にアップロードし、最後にそれをテーマとして設定することを要求する。そのため、通常は複数の手順を踏む必要があり、ユーザは保存された写真又はカメラを用いてその場で撮影した写真から、素速くテーマを生成することができなかった。
【００４６】
また、時としてプリセットテーマはメモリ容量を必要とし、また開発に多くのコストがかかっていた。
【００４７】
一方で、本発明は、ユーザが自分のテーマを非常に簡単に生成することを可能にするので、多数のプリセットテーマを用意しなくてもよい。
【００４８】
さらに、例えばミステリアスな効果や装飾的な効果を出すために、１つ以上の追加画像を最初のデスクトップ画像上に重畳して、最初の画像を変更することも可能である。
【００４９】
本発明の更なる長所は、外部ツールを用いずにこれらの効果を提供することである。また、必要な追加構成要素は少数なので、簡単かつ安価に実施できる。典型的には、本発明は既存の入力ユニット及び１つ以上のディスプレイと共同したソフトウェアとして提供されうる。
【図面の簡単な説明】
【００５０】
【図１ａ】、
【図１ｂ】、
【図１ｃ】、
【図１ｄ】、
【図１ｅ】カメラのファインダーがテーマ生成に用いられる本発明の第１の実施形態に係るテーマ生成器の機能を模式的に示す図である。
【図２】図１ａ−ｃの携帯電子機器用のテーマ生成器の第１の実施形態を模式的に示すブロック図である。
【図３ａ】、
【図３ｂ】、
【図３ｃ】携帯電子機器が携帯電話機であり、ユーザがスライドショーの形式でテーマをセットしている場合の正面外観を模式的に示しており、それぞれ、（電話機のカメラで撮影された）写真、アイコンディスプレイモードおよびタイム／デートモードを示す図である。
【図４】は、本発明の第１の実施形態に対応するテーマ生成方法のフローチャートを模式的に示す図である。
【図５】保存済みの画像がテーマ生成にどのように用いられるかを示す図である。
【図２】
2009512041.tif 000003
【図４】
2009512041.tif 000004
【図１ａ】
2009512041.tif 000005
【図１ｂ】
2009512041.tif 000006
【図１ｃ】
2009512041.tif 000007
【図１ｄ】
2009512041.tif 000008
【図１ｅ】
2009512041.tif 000009
【図３ａ】
2009512041.tif 000010
【図３ｂ】
2009512041.tif 000011
【図３ｃ】
2009512041.tif 000012
【図５】
2009512041.tif 000013
【手続補正書】
【提出日】平成19年9月17日(2007.9.17)
【手続補正１】
【補正対象書類名】特許請求の範囲
【補正対象項目名】全文
【補正方法】変更
【補正の内容】
【特許請求の範囲】
【請求項１】
選択可能なグラフィカルユーザインタフェース（ＧＵＩ）をユーザが制御可能なテーマの形式により提供するように構成された携帯電子機器用のテーマ生成器(15)であって、
前記テーマ生成器(15)を選択及び／又は起動する入力ユニット(16)と、前記テーマ生成器(15)を制御するとともに、前記テーマ生成器(15)が選択及び／又は起動されている際に画像データを受信するように構成された制御ユニット(17)を有し、前記グラフィカルユーザインタフェース（ＧＵＩ）の外観が、カメラもしくは取り込み済みの画像から与えられる前記画像データに応じて変化するとともに、ファインダーのような前記カメラの画像提示装置が、前記グラフィカルユーザインタフェース（ＧＵＩ）の前記外観をリアルタイムで提示するように構成され、ユーザが前記画像の取り込み前に最終結果を見た上でテーマを生成することが出来るよう、前記グラフィカルユーザインタフェース（ＧＵＩ）の前記外観が、前記生成されるテーマのプレビューとしてスライドショーにおいて提示されることを特徴とするテーマ生成器(15)。
【請求項２】
前記グラフィカルユーザインタフェース（ＧＵＩ）が、自動的に更新されるように構成されるとともに、画像データが変化すると前記グラフィカルユーザインタフェース（ＧＵＩ）の前記外観が変化することを特徴とする請求項１記載のテーマ生成器(15)。
【請求項３】
前記制御ユニット(17)が、ユーザ入力操作に応じて、効果、フィルタカラースキーム等を制御するように構成されることを特徴とする請求項１又は請求項２記載のテーマ生成器。
【請求項４】
前記制御ユニット(17)が、動き検出又はタイマー操作を備えるカメラから画像データを受信した後、前記グラフィカルユーザインタフェース（ＧＵＩ）をフリーズさせるように構成されることを特徴とする請求項２又は請求項３記載のテーマ生成器。
【請求項５】
前記制御ユニット(17)が、シャッターボタン操作を備えるカメラから画像データを受信した後、前記グラフィカルユーザインタフェース（ＧＵＩ）をフリーズさせるように構成されることを特徴とする請求項２又は請求項３記載のテーマ生成器。
【請求項６】
携帯電子機器であって、
選択可能なグラフィカルユーザインタフェース（ＧＵＩ）をユーザが制御可能なテーマの形式により提供するように構成されたテーマ生成器(15)を備え、前記テーマ生成器(15)が、
前記テーマ生成器(15)を選択及び／又は起動する入力ユニット(16)と、前記テーマ生成器(15)を制御するとともに、前記テーマ生成器(15)が選択及び／又は起動されている際に画像データを受信するように構成された制御ユニット(17)を有し、前記グラフィカルユーザインタフェース（ＧＵＩ）の外観が、カメラもしくは取り込み済みの画像から与えられる前記画像データに応じて変化するとともに、ファインダーのような前記カメラの画像提示装置が、前記グラフィカルユーザインタフェース（ＧＵＩ）の前記外観をリアルタイムで提示するように構成され、ユーザが前記画像の取り込み前に最終結果を見た上でテーマを生成することが出来るよう、前記グラフィカルユーザインタフェース（ＧＵＩ）の前記外観が、前記生成されるテーマのプレビューとしてスライドショーにおいて提示されることを特徴とする携帯電子機器。
【請求項７】
携帯電話機であることを特徴とする請求項５記載の携帯電子機器。
【請求項８】
携帯電子機器用のテーマを生成する方法であって、
グラフィカルユーザインタフェース（ＧＵＩ）をユーザが制御可能なテーマの形式により提供する様に構成されたテーマ生成器を提供するステップと、
入力ユニットによって前記テーマ生成器(15)を選択及び／又は起動するステップと、
前記テーマ生成器が選択及び／又は起動されている際に、カメラにより送信される画像データ又は取り込み済み画像を受信するように構成されるよう前記テーマ生成器を制御するステップであり、前記グラフィカルユーザインタフェース（ＧＵＩ）の外観が、前記カメラからの画像データ又は取り込み済み画像に応じて変化し、
前記グラフィカルユーザインタフェースを、前記カメラの画像提示装置によってリアルタイムに提示するステップと、
ユーザが前記画像の取り込み前に最終結果を見た上でテーマを生成することが出来るよう、前記グラフィカルユーザインタフェース（ＧＵＩ）の前記外観を、前記生成されるテーマのプレビューとしてスライドショーにおいて提示するステップとを有することを特徴とする方法。
【手続補正２】
【補正対象書類名】明細書
【補正対象項目名】０００９
【補正方法】変更
【補正の内容】
【０００９】
ＥＰ １５１３３３０ Ａ１は、環境に依存したグラフィックを用いた装置及びそのための方法に関する。しかし、ＥＰ １５１３３３０ Ａ１は、他のグラフィカルなテーマと比較され、適切な方法でユーザに選択されたグラフィカルなテーマを、どのようにプレビューしうるかについて何ら述べていない。
ＵＳ ２００３／００４３４８３ Ａ１は、遠隔制御されるデジタルスチルカメラを備えるスナップショットシステムに関するものである。ＵＳ ２００３／００４３４８３ Ａ１によれば、グラフィカルなテーマは生成も使用もされていない。
そのため、携帯電子機器のみを用いて、ユーザがテーマを（一般には簡単に）生成できるようにすることに対する要求が存在するであろう。
【国際調査報告】
2009512041.tif 000014
2009512041.tif 000015